(57)【要約】【課題】信頼性の高いランプ用コネクタを提供する。【解決手段】コネクタ本体２が、ランプ１の端部を保持する保持部６と、そのランプ１の端部から突出したリード部５と接触する接続部７とを並設配置し、前記保持部６は前記コネクタ本体２に対して可撓性を有していることを特徴とする。【選択図】図６
2008300146.tif 000002
【特許請求の範囲】
【請求項１】
コネクタ本体が、ランプの端部を保持する保持部と、そのランプの端部から突出したリード部と接触する接続部とを並設配置し、前記保持部は前記コネクタ本体に対して可撓性を有していることを特徴とするランプ用コネクタ。
【請求項２】
請求項１記載のランプ用コネクタにおいて、前記接続部は前記保持部よりも前記ランプの軸方向外側に間隔をおいて並設配置されていることを特徴するランプ用コネクタ。
【請求項３】
請求項１または２記載のランプ用コネクタにおいて、前記保持部は所定の間隔をおいて対向した一対の弾性片を有し、その弾性片の内面に前記ランプ端部の抜け止め突起が形成されていることを特徴するランプ用コネクタ。
【請求項４】
請求項１ないし３のいずれか１項記載のランプ用コネクタにおいて、前記保持部の両側側面に隙間をおいて外壁部が形成されていることを特徴するランプ用コネクタ。
【請求項５】
請求項１ないし４のいずれか１項記載のランプ用コネクタにおいて、前記保持部は隙間をおいて前記コネクタ本体に片持梁状に支持されて、前記保持部が前記コネクタ本体に対して上下方向に移動可能に支持されていることを特徴するランプ用コネクタ。
【請求項６】
請求項１ないし５のいずれか１項記載のランプ用コネクタにおいて、前記コネクタ本体に前記ランプを装着した状態で、前記リード部が前記接続部から外れるのを阻止するロック部が前記コネクタ本体に一体に形成されていることを特徴とするランプ用コネクタ。
【発明の詳細な説明】
【技術分野】
【０００１】
本発明は、例えば透過型液晶表示装置の表示パネルの後方に配置されるバックライトなどに適用されるランプ用コネクタに係り、特に振動や衝撃などがあってもランプとコネクタの接続が確実に維持できるランプ用コネクタに関するものである。
【背景技術】
【０００２】
従来この種のライトソケットとして、特許第３１１８６９９号公報（特許文献１）によって提案されたものがある。
【０００３】
図１７〜図１９はこの特許文献１によって提案されたライトソケットを説明するための図で、図１７はライトソケットの斜視図、図１８はそのライトソケットの平面図、図１９は図１８Ｄ−Ｄ線上の断面図である。このライトソケット１０１は、左右一対のコンタクト１０２と、升形の内部絶縁体１０３ならびに外部絶縁体１０４とから構成されている。
【０００４】
前記コンタクト１０２は1枚の板ばねから構成され図１９に示すように、バックライト口金電極（図示せず）と接触する電極接続部１０５と、前記内部絶縁体１０３の内面に固定された固定部１０６と、前記内部絶縁体１０３と外部絶縁体１０４の間に配置された接続部１０７と、前記外部絶縁体１０４の内面に固定された固定部１０８と、液晶用回路基板（図示せず）と接続する基板接続部１０９とから構成されている。前記内部絶縁体１０３は外部絶縁体１０４に対して独立した構造になっている。
【特許文献１】特許第３１１８６９９号公報
【発明の開示】
【発明が解決しようとする課題】
【０００５】
ところがこの従来のライトソケットは、外部絶縁体１０４から独立している内部絶縁体１０３にコンタクト１０２の電極接続部１０５が固定されている。そのため振動や衝撃などによって内部絶縁体１０３が揺れると、それに伴ってコンタクト１０２の電極接続部１０５も揺れて、バックライト口金電極に対する接触圧が変動するから、動作信頼性に問題がある。
【０００６】
本発明の目的は、このような従来技術の欠点を解消し、信頼性の高いランプ用コネクタを提供することにある。
【課題を解決するための手段】
【０００７】
前記目的を達成するため本発明の第1の手段は、コネクタ本体が、ランプの端部を保持する保持部と、そのランプの端部から突出したリード部と接触する接続部とを並設配置し、前記保持部は前記コネクタ本体に対して可撓性を有していることを特徴とするものである。
【０００８】
本発明の第２の手段は前記第1の手段において、前記接続部は前記保持部よりも前記ランプの軸方向外側に間隔をおいて並設配置されていることを特徴するものである。
【０００９】
本発明の第３の手段は前記第1または第２の手段において、前記保持部は所定の間隔をおいて対向した一対の弾性片を有し、その弾性片の内面に前記ランプ端部の抜け止め突起が形成されていることを特徴するものである。
【００１０】
本発明の第４の手段は前記第1ないし第３のいずれかの手段において、前記保持部の両側側面に隙間をおいて外壁部が形成されていることを特徴するものである。
【００１１】
本発明の第５の手段は前記第1ないし第４のいずれかの手段において、前記保持部は隙間をおいて前記コネクタ本体に片持梁状に支持されて、前記保持部が前記コネクタ本体に対して上下方向に移動可能に支持されていることを特徴するものである。
【００１２】
本発明の第６の手段は前記第1ないし第５のいずれかの手段において、前記コネクタ本体に前記ランプを装着した状態で、前記リード部が前記接続部から外れるのを阻止するロック部が前記コネクタ本体に一体に形成されていることを特徴とするものである。
【発明の効果】
【００１３】
本発明は前述のような構成になっており、保持部と接続部とが別々に離れて配置され、しかも前記保持部は前記コネクタ本体に対して可撓性を有しているから、ランプに振動や衝撃が生じても、リード部と接続部の間の接続を確実に維持したままで、保持部の可撓性により振動や衝撃に対応でき、信頼性の高いランプ用コネクタを提供することが可能となる。
【発明を実施するための最良の形態】
【００１４】
次に本発明の実施形態を図とともに説明する。  
（バックライトの構成）
先ず図１６を用いて本実施形態の対象となる透過型液晶表示装置の表示パネルの後方に配置されるバックライトの構成について説明する。
【００１５】
同図に示されているように、冷陰極蛍光ランプ（以下、ランプと略記する）１が同一平面上において多数本（本実施形態では１０本）平行に並び、各ランプ１の両端部がコネクタ本体２に装着保持され、各コネクタ本体２は取付板３に一列に保持された状態でプリント配線基板４に電気的に接続されてバックライトを構成している。なお面積の広い表示パネルの場合、このバックライトを複数個組み合わせて設置される。
【００１６】
（コネクタ本体の構成）
次にコネクタ本体２の構成について説明する。図１ならびに図２はコネクタ本体２の単体を左側ならびに右側から視た斜視図、図３ならびに図４はコネクタ本体２にランプ１の端部を挿入したロック前の状態を示す左側ならびに右側から視た斜視図、図５ならびに図６はコネクタ本体２にランプ１の端部を装着してロックした状態を示す左側ならびに右側から視た斜視図、図７は取付板３に取り付けたコネクタ本体２の側面図である。
【００１７】
例えば図１ならびに図７に示すようにコネクタ本体２は、基板装着部５と、その基板装着部５の上に立設された保持部６と接続部７とロック部８とを有し、前記保持部６と接続部７とロック部８は、装着するランプ１の軸線方向に沿ってランプ１側からランプ１の外側に向けて順次配置されている。基板装着部５と保持部６とロック部８は電気絶縁性を有する合成樹脂によって一体に成形され、接続部７は金属のプレス加工品によって構成されている。
【００１８】
基板装着部５の厚さ方向の中間位置に、前記プリント配線基板４の一方の側端部が挿入される（図１５参照）挿入溝９が一方の側端面から途中の位置まで水平方向に形成され、挿入溝９の最も奥面がストッパー面１１となっている。挿入溝９の途中が切れており、その途切れたところに上下に対向した弾性を有する一対の係止爪１０が設けられている。
【００１９】
基板装着部５の下面中央部には、接続部７を下方から圧入する挿入穴（図示せず）と、その挿入穴に連なって接続部７の接続端子１２を収納する凹状の端子収納部１３が形成されている。
【００２０】
図８は図２Ａ−Ａ線上の拡大断面図、図９は図８Ｂ−Ｂ線上の拡大断面図、図１０はランプ１の一部拡大側面図である。
【００２１】
図１０に示すように、ランプ１の端部１４には金属棒または金属線からなるリード部１５がランプ１の軸方向に沿って外側に突出している。保持部６はこのランプ１の端部１４を保持するためのもので、保持部６の内側に端部収納部１６が形成され、この端部収納部１６を臨むように固定保持部１７と可動保持部１８が設けられている。図１０に示すように、固定保持部１７はランプ１のリード部１５寄りの端部１４を保持するように、また可動保持部１８はそれよりも内側の端部１４を保持するように、固定保持部１７と可動保持部１８はランプ１の軸方向に沿って離れて設けられ、従って可動保持部１８は前記接続部７とも離れている。
【００２２】
このようにランプ１のリード部１５と接触する接続部７と、ランプ１の端部１４を保持する可動保持部１８とを離して設けることにより、ランプ１に振動や衝撃が生じても、リード部１５と接続部７の間の接続を確実に維持したままで、可動保持部１８の可撓性により前記振動や衝撃に対応することができる。
【００２３】
固定保持部１７と可動保持部１８は、図１の矢印Ｘで示すようにランプ１を上側から挿入できるように上方に向けて開放しており、内側にランプ１の端部１４が挿入される半円部が形成され、全体の形状が略Ｕ字形をしている。
【００２４】
固定保持部１７と可動保持部１８の両側側面には、両保持部１７，１８と略同じ高さの外壁部１９が形成されている。固定保持部１８は外壁部１９と一体に成形されて固定状態にあるが、可動保持部１８は図８に示すように外壁部１９との間に隙間２０が設けられている。
【００２５】
この外壁部１９の存在により固定保持部１７と可動保持部１８が保護されるとともに、使用者がコネクタを掴む場所を提供することができる。外壁部１９がない場合、使用者は固定保持部１７、可動保持部１８あるいはロック部８を直接掴むことになり、ランプの保持に悪影響を与えることがある。
【００２６】
また図９に示すように、この可動保持部１８は支持部２２の先端部に一体成形されており、支持部２２と前記保持部６の間に隙間２１が設けられ、支持部２２の基端部は保持部６と一体成形されている。従って可動保持部１８は保持部６によって片持梁状に支持された構造になっており、前記隙間２０と隙間２１は連通している（図８参照）。このように可動保持部１８の周囲に隙間２０,２１を形成して片持梁状に支持することにより、可動保持部１８は図８に示す矢印Ｙ方向（左右方向）ならびに矢印Ｚ方向（上下方向）に移動可能であり、装着されたランプ１に加わる縦、横、斜め方向の振動や衝撃などを有効に吸収することができる。
【００２７】
例えば図８に示すように可動保持部１８は、所定の間隔をおいて対向するように起立した一対の弾性片１８ａ，１８ｂを有し、その弾性片１８ａ，１８ｂの内面の所定位置にランプ１の抜け止め突起２３が対向して形成され、可動保持部１８（弾性片１８ａ，１８ｂ）は矢印Ｙ方向に沿って弾性変形可能になっている。
【００２８】
本実施形態では可動保持部１８の方にのみ抜け止め突起２３を設けたが、固定保持部１７の方にも抜け止め突起２３を設けることもできる。また本実施形態では固定保持部１７と可動保持部１８の両方を用いたが、可動保持部１８だけを用いることも可能である。
【００２９】
図１１は、接続部７の拡大斜視図である。接続部７は同図の矢印Ｘで示すようにランプ１のリード部１５（図示せず）を上側から挿入できるように上方に向けて開放しており、接続部７の上端部に挿入したリード部１５を左右両側から弾性的に挟持する一対の挟持片２４が設けられ、挟持片２４の内側にリード部１５の直径寸法に準ずる膨らみ部を持つリード部収納部２５が形成されている。接続部７の下端部には、弾性を有する前記接続端子１２が上下対になって略水平方向に延設されている。
【００３０】
この接続部７を前記基板装着部５の下方から圧入して、図１に示すように前記挟持片２４を上側に露呈し、接続端子１２を基板装着部５の端子収納部１３に収納する（図２参照）。接続部７は一対の嵌合爪部５５が基板装着部５の内側に食い込むことにより基板装着部５の内側にがたつかずに装着され、その装着完了状態で図７に示すように接続端子１２の途中の山部が基板装着部５に形成されている挿入溝９の内側に向けて若干突出して見える。
【００３１】
ロック部８は、コネクタ本体２にランプ１の端部１４を装着した状態で、何らかの振動や衝撃でランプ１のリード部１５が接続部７から外れるのを、すなわち上方に抜けるのを防止する機能を有している。
【００３２】
このロック部８は例えば図１に示すように、第1ロック部２６と第２ロック部２７と規制部２８とを有し、第1ロック部２６と第２ロック部２７は例えば図１ならびに図７に示すように、接続部７の少なくとも挟持片２４を間に配置して対向するように立設されている。
【００３３】
第1ロック部２６は側面形状が略逆Ｌ字状をした扁平状のもので、その基部は基板装着部５と一体になっており、その先端部に第２ロック部２７側に向けて延びた第１重合部２９が形成され、その第１重合部２９の上に爪状の凸部３０が設けられている。
【００３４】
第２ロック部２７も側面形状が略逆Ｌ字状をした扁平状のもので、その基部は基板装着部５と一体になっており、その先端部に第１ロック部２６側に向けて延びた第２重合部３１が形成され、その第２重合部３１の上に上下方向に貫通した穴からなる凹部３２が設けられている。
【００３５】
第1ロック部２６と第２ロック部２７の基部側はそれの先端部側よりも若干肉厚になっており、第1ロック部２６と第２ロック部２７の繰り返しによる弾性変形（後述する）に十分耐えられるようになっている。
【００３６】
規制部２８は側面形状が略Ｔ字状をしており、第1ロック部２６と第２ロック部２７の間で、かつ接続部７よりも外側（図１において手前側）に基板装着部５から一体に立設されている。規制部２８の上部で前記第1ロック部２６ならびに第２ロック部２７の内面と対向する両側面が、それぞれ規制面３４となっている。この規制部２８は、第1ロック部２６や第２ロック部２７で押圧されても変形しないように肉厚になっている。本実施形態では側面形状が略Ｔ字状の規制部２８を用いたが、立方体状の規制部２８でも構わない。
【００３７】
また本実施形態では、第1ロック部２６と第２ロック部２７の両方が可撓性を有する場合について説明したが、一方のロック部、例えば第1ロック部２６に可撓性を持たせて、第1ロック部２６を第２ロック部２７側に倒して両者を係合することも可能である。
【００３８】
さらに本実施形態では、第1ロック部２６と第２ロック部２７の間に別体の規制部２８を設置したが、一方のロック部あるいは両方のロック部に規制部を一体に設けて、ロック部の過度な倒れ込みを防止することの可能である。
【００３９】
（ランプの装着）
次にランプ１の装着手順について説明する。  
図１ならびに図２に示すようにランプ１の非装着状態では、第1ロック部２６と第２ロック部２７は上方に向いて若干末広がり状に開いて、第１重合部２９と第２重合部３１は重合しておらず離れており、ランプ１のリード部１５が挿通する隙間３３（図１参照）が形成されている。この隙間３３の下方に、接続部７の挟持片２４が開放した状態で配置されている。
【００４０】
この状態でランプ１をコネクタ本体２の上から挿入すると、ランプ１の端部１４（図１０参照）は保持部６の固定保持部１７ならびに可動保持部１８の内側に嵌入される。ランプ１の端部１４が可動保持部１８に設けられている抜け止め突起２３を乗り越えるとき、両側に隙間２０が形成されているから可動保持部１８は若干外側に拡がり、最終的にはランプ１の端部１４が可動保持部１８の内側に弾性的に保持される。
【００４１】
一方、ランプ１のリード部１５は第１重合部２９と第２重合部３１の間の隙間３３を通り、接続部７の挟持片２４の間に圧入され、リード部１５は挟持片２４により弾性的に挟持される。このような状態が図３と図４に示されている。
【００４２】
次に組立作業者の指先あるいは治具（共に図示せず）で第1ロック部２６と第２ロック部２７を規制部２８側に向けて互いに押し狭めることにより、図５と図６に示されているように第１重合部２９と第２重合部３１が互いに重り合う。この重合により第１重合部２９上に形成されている凸部３０が第２重合部３１に形成されている凹部３２に嵌入して係合し、第１重合部２９と第２重合部３１が連結して両者の重合状態が保持される。
【００４３】
この、第１重合部２９と第２重合部３１の重合部分は、接続部７の挟持片２４の真上にあるから、振動や衝撃などを受けてもランプ１のリード部１５が挟持片２４から外れることを機械的に確実に阻止することができる。これでランプ１の装着が完了する。
【００４４】
なお、第1ロック部２６と第２ロック部２７を規制部２８側に向けて弾性変形させる際、第1ロック部２６または（ならびに）第２ロック部２７に過度の押圧力が加わり、そのために接続部７の挟持片２４が押し潰されて変形する懸念がある。
【００４５】
本実施形態ではこれを防止するため、第１重合部２９と第２重合部３１の間に規制部２８を設け、第1ロック部２６または（ならびに）第２ロック部２７に過度の押圧力が加わっても前記規制面３４で受け止めて、第1ロック部２６または（ならびに）第２ロック部２７は挟持片２４とは直接接触しないようになっており、それによって挟持片２４の変形を防止している。
【００４６】
前述のように第１重合部２９と第２重合部３１を重ね合わせて係合することにより、第1ロック部２６と第２ロック部２７が互いに内側に寄って、それらの内面が接続部７の挟持片２４と接近した位置で留まっている。
【００４７】
この状態でランプ１に横揺れの振動が生じた場合、その振動は挟持片２４にも伝達されるが、挟持片２４の近傍に第1ロック部２６ならびに第２ロック部２７の内面があるから、その内面によって挟持片２４の過度な横揺れが抑止されて、挟持片２４の変形が防止される。第1ロック部２６と第２ロック部２７は互いに重合部２９，３１で機械的に連結されているから、第1ロック部２６と第２ロック部２７の横揺れに対する対抗力は大きくなり、そのために挟持片２４の変形防止に役立つ。
【００４８】
（コネクタユニットの組み立て）
次にコネクタユニットの組み立て手順について説明する。  
図１６に示すようにコネクタユニット３５は、複数個のコネクタ本体２を取付板３に取付け、それとプリント配線基板４を組み合わせることにより構成される。
【００４９】
コネクタ本体２を取付板３に取り付けるために、コネクタ本体２の両側面には取付け係止片３６が設けられている。この取付け係止片３６の設置位置は図７に示すように、コネクタ本体２を側面から視た場合に保持部６と接続部７とロック部８の集合体部分の中心位置（一点鎖線Ｃで示す位置）よりも一方（本実施形態では保持部６側）に偏位している。また図１と図２に示しているように、保持部６の横幅Ｗ１は接続部８の横幅Ｗ２よりも幅広に設計されている（Ｗ１＞Ｗ２）。  
本実施形態の場合、取付け係止片３６は保持部６の両側面に上下方向に沿って設けられ、側面形状が略山形をしており、取付け係止片３６の両端部が保持部６と一体に接合されて両持ち梁状になっており、中間部は保持部６の側面から浮いて中空状になっており、これにより取付け係止片３６に所定の弾性力が付与される。例えば図７に示すように取付け係止片３６の下端傾斜部３７の外面には、水平方向に延びた微小の段部３８が多数形成されている。
【００５０】
また図２や図７に示すように、基板装着部５は前記保持部６と接続部７とロック部８の集合体部分よりも突出して水平な受け部３９が形成され、この受け部３９の水平面と直交する方向に前記下端傾斜部３７（段部３８）が延びている。
【００５１】
図１２は取付板３の斜視図、図１３は取付板３の一部拡大平面図である。図１２に示すように取付板３は長尺状をしており、それの長手方向に所定のピッチで多数個（本実施形態では１０個）の挿入穴４０が形成されている。取付板３が合成樹脂製であると、変形などによって挿入穴４０のピッチ精度が狂ったり、十分な機械的強度が得られないなどの懸念があるため、本実施形態では挿入穴４０のピッチ精度が高く維持でき、しかも機械的強度に優れていることなどから金属板製の取付板３を使用している。
【００５２】
挿入穴４０の平面形状は略長方形をしており、挿入穴４０の両側縁には図１３に示すようにコネクタ本体２に突設された取付け係止片３６が嵌入・係止する嵌合凹部４１が連設されている。前述のように取付け係止片３６は保持部６と接続部７とロック部８の集合体部分の中心からずれた位置に設けられているから、それに合わせて嵌合凹部４１の位置も取付板３の中心から偏倚しており、図１３に示すように挿入穴４０の一方の端縁から嵌合凹部４１までの距離Ｌ１と挿入穴４０の他方の端縁から嵌合凹部４１までの距離Ｌ２とは等しくない（Ｌ１≠Ｌ２）。
【００５３】
図１３に示すように、挿入穴４０の手前側の横幅Ｗ３はコネクタ本体２の保持部６の横幅Ｗ１（図２参照）よりも挿入可能なように若干長くなっており、挿入穴４０の奥側の横幅Ｗ４はコネクタ本体２の接続部８の横幅Ｗ２（図１参照）よりも挿入可能なように若干長くなっており、従って横幅Ｗ３は横幅Ｗ４よりも長くなっている（Ｗ３＞Ｗ４）。
【００５４】
コネクタ本体２は取付板３の下方から挿入穴４０に挿入されるが、その挿入穴４０をＷ３（Ｗ１）＞Ｗ４（Ｗ２）、Ｌ１≠Ｌ２のような寸法関係にすることで、すなわちコネクタ本体２と取付板３の間に設けられる係合部を前後（本実施形態）または左右において非対称にして、取付板３に対する誤挿入を防止し、コネクタ本体２を適正な方向に挿入することができる。
【００５５】
コネクタ本体２を取付板３の挿入穴４０に挿入する途中で、コネクタ本体２の側面に突設されている取付け係止片３６は、嵌合凹部４１の端縁に当接して若干内側に弾性変形しながら嵌合凹部４１を通過する。そしてコネクタ本体２に設けられている受け部３９が取付板３の下面に当接したところでコネクタ本体２の挿入が停止して、取付け係止片３６はその復元力で嵌合凹部４１の端縁に弾接し、取付け係止片３６の下端傾斜部３７に設けた段部３８がその嵌合凹部４１の端縁エッジ部と掛止する。
【００５６】
従ってこの段部３８は滑り止めとして機能し、この段部３８と前記受け部３９との間において取付板３が挟持された形態となり、コネクタ本体２が取付板３に安定した形で取り付けられる。本実施形態では平面状の受け部３９となっているが、リブなどの連続状あるいは不連続状の受け部３９であっても構わない。
【００５７】
この状態が図７に示されており、取付板３と受け部３９との当接と、嵌合凹部４１の端縁エッジ部への段部３８の掛止により、コネクタ本体２は取付板３に安定した状態で取り付けられる。
【００５８】
図１４は、電源供給用プリント配線基板４の斜視図である。同図に示すようにプリント配線基板４も長尺状をしており、それの一方の側端縁から内側に向かって形成された切欠部４２がプリント配線基板４の長手方向に沿って所定のピッチで多数個（本実施形態では１０個）形成され、その切欠部４２の奥側には、端子接続用の導電パターン４３が設けられている。この導電パターン４３は、プリント配線基板４の上下両面に設けられている。さらに前記切欠部４２の両側の所定の位置には、角穴状の嵌入係合部４４が形成されている。
【００５９】
本実施形態では角穴状の嵌入係合部４４を形成したが、切欠部４２の側端からプリント配線基板４の長手方向に若干切り込んだ切り込み状の嵌入係合部４４であっても構わない。
【００６０】
前述のようにして取付板３に装着したコネクタ本体２の列に対して、プリント配線基板４が差し込まれる。図７に示されているようにコネクタ本体２の挿入溝９は一方の端面において開放しているから、その挿入溝９の開口４５は取付板３の長手方向に沿って１列に並んだ状態になっており、この開口４５の列に向けてプリント配線基板４における前記切欠部４２の開放側の端縁５０を先にして差し込まれ、端縁５０が挿入溝９と対向し、切欠部４２が接続端子１２と対向する。
【００６１】
挿入溝９の途中には、係止爪１０が上下対向して設けられている。この係止爪１０は、プリント配線基板４の挿入方向に沿って延びた基部４６と、その基部４６の先端から徐々に挿入溝９の内側に向けて傾斜した傾斜面４７と、その傾斜面４７の先端に設けられて挿入溝９の内側に突出する突出部４８と、その突出部４８の先端に設けられた垂直端面４９とを備え、全体的に弾性を有している。
【００６２】
プリント配線基板４をある程度挿入するとそれの端縁５０が係止爪１０の傾斜面４７に衝突するとともに、プリント配線基板４に形成されている導電パターン４３が接続端子１２の付近まで来ている。
【００６３】
さらにプリント配線基板４を挿入すると、端縁５０によって上側の係止爪１０は上側に反り、下側の係止爪１０は下側に反り、上下の係止爪１０に反発力が生じる。一方、上下に導電パターン４３を形成したプリント配線基板４の部分が山形をした上下の接続端子１２の間に圧入され、上下の接続端子１２は押圧変形されて反発力が生じる。このように上下の係止爪１０と上下の接続端子１２によりプリント配線基板４は弾性的に保持された安定な状態でプリント配線基板４の挿入が続行され、その間に導電パターン４３上を接続端子１２が摺接することになるから、導電パターン４３のセルフクリーニングがなされる。
【００６４】
図１５は、プリント配線基板４の挿入が終了した状態を示すコネクタユニット３５の側面図である。同図に示すように、プリント配線基板４の端縁５０が挿入溝９の最も奥側にあるストッパー面１１に当接あるいは近接すると略同時に係止爪１０はプリント配線基板４の支えを失い、係止爪１０の突出部４８がプリント配線基板４に形成されている角穴状の嵌入係合部４４に上下から嵌入する。またこの時点で、接続端子１２は導電パターン４３との正規の接続位置に到達している。
【００６５】
図１５のコネクタユニット３５が組み立てられた状態において、プリント配線基板４に引き抜く方向の力が作用しても、プリント配線基板４に形成されている角穴状の嵌入係合部４４の内面が係止爪１０の垂直端面４９に当接するため、プリント配線基板４の引き抜きが阻止される。
【００６６】
図１５に示すようにコネクタ本体２とプリント配線基板４は、接続端子１２と導電パターン４３とが弾性的に接触した基板接続部５１と、係止爪１０の突出部４８が嵌入係合部４４に係合した位置決め係合部５２と、挿入溝９の奥部のストッパー面１０を有する先端収納凹部５３にプリント配線基板４の端縁５０が嵌入した先端保持部５４でそれぞれ係合しているから、両者の接続・連結が極めて安定している。本実施形態の場合、基板接続部５１、位置決め係合部５２ならびに先端保持部５４がコネクタ本体２の両側に形成されるから、接続・連結がさらに安定している。
【００６７】
またこの基板接続部５１、位置決め係合部５２ならびに先端保持部５４は、各コネクタ本体２毎に形成されるから、コネクタユニット全体から視てもプリント配線基板４に対する各コネクタ本体２の接続・連結が極めて安定している。
【００６８】
なお本実施形態では図１５に示すように、コネクタ本体２に対するプリント配線基板４の挿入方向に沿って基板接続部５１、位置決め係合部５２ならびに先端保持部５４の順に形成されているが、構造の変更により位置決め係合部５２、基板接続部５１ならびに先端保持部５４の順に形成することも可能である。
【００６９】
なお、図１５ならびに図１６において符号５６はコンデンサで、コネクタユニット３５に組み込む前のプリント配線基板４に搭載され、前記導電パターン４３と電気的に接続されている。
【００７０】
図１５に示すようにコネクタ本体２とプリント配線基板４を組み合わせた状態において、取付板３とプリント配線基板４は所定の間隔をもって離間しているから、前述のように金属製の取付板３を使用することができる。
【００７１】
本実施形態では基板装着部、保持部、接続部ならびにロック部などを備えたコネクタ本体そのものをコネクタとしたが、このコネクタ本体にさらに他の部材を付加してコネクタとすることもある。
【００７２】
本実施形態ではランプ用コネクタを液晶表示装置のバックライトに用いた場合について説明したが、本発明はこれに限定されるものではなく、例えば車内用ライトあるいは室内用ライトなど他の技術分野におけるランプ用コネクタにも適用可能である。
【図面の簡単な説明】
【００７３】
【図１】本発明の実施形態に係るコネクタ本体の単体を左側から視た斜視図である。
【図２】そのコネクタ本体を右側から視た斜視図である。
【図３】そのコネクタ本体にランプの端部を挿入したロック前の状態を示す左側から視た斜視図である。
【図４】そのコネクタ本体を右側から視た斜視図である。
【図５】そのコネクタ本体にランプの端部を装着してロックした状態を示す左側から視た斜視図である。
【図６】そのコネクタ本体を右側から視た斜視図である。
【図７】取付板に取り付けたコネクタ本体の側面図である。
【図８】図２Ａ−Ａ線上の拡大断面図である。
【図９】図８Ｂ−Ｂ線上の拡大断面図である。
【図１０】本発明の実施形態で使用するランプの一部拡大側面図である。
【図１１】本発明の実施形態で使用する接続部の拡大斜視図である。
【図１２】本発明の実施形態で使用する取付板の斜視図である。
【図１３】その取付板の一部拡大平面図である。
【図１４】本発明の実施形態で使用するプリント配線基板の斜視図である。
【図１５】本発明の実施形態に係るコネクタユニットの側面図である。
【図１６】本発明の実施形態に係るバックライトの斜視図である。
【図１７】従来提案されたライトソケットの斜視図である。
【図１８】そのライトソケットの平面図である。
【図１９】図１８Ｄ−Ｄ線上の断面図である。
【符号の説明】
【００７４】
１:冷陰極蛍光ランプ、２:コネクタ本体、３:取付板、４:プリント配線基板、５:基板装着部、６:保持部、７:接続部、８:ロック部、９:挿入溝、１０:係止爪、１１:ストッパー面、１２:接続端子、１３:端子収納部、１４:ランプの端部、１５:リード部、１６:端部収納部、１７:固定保持部、１８:可動保持部、１８ａ，１８ｂ:弾性片、１９:外壁部、２０:隙間、２１:隙間、２２:支持部、２３:抜け止め突起、２４:挟持片、２５:リード部収納部、２６:第1ロック部、２７: 第２ロック部、２８:規制部、２９:第１重合部、３０:凸部、３１: 第２重合部、３２:凹部、３３:隙間、３４:規制面、３５:コネクタユニット、３６:取付け係止片、３７:下端傾斜部、３８:段部、３９:受け部、４０:挿入穴、４１:嵌合凹部、４２:切欠部、４３:導電パターン、４４:嵌入係合部、４５:開口、４６:基部、４７:傾斜面、４８:突出部、４９:垂直端面、５０:端縁、５１:基板接続部、５２:位置決め係合部、５３:先端収納凹部、５４:先端保持部、５５:嵌合爪部、５６:コンデンサ、Ｘ:ランプの挿入方向、Ｙ，Ｚ:可動保持部の移動方向、Ｗ１:保持部の横幅、Ｗ２:接続部の横幅、Ｗ３、Ｗ４:挿入穴の横幅。
【図１】
2008300146.tif 000003
【図２】
2008300146.tif 000004
【図３】
2008300146.tif 000005
【図４】
2008300146.tif 000006
【図５】
2008300146.tif 000007
【図６】
2008300146.tif 000008
【図７】
2008300146.tif 000009
【図８】
2008300146.tif 000010
【図９】
2008300146.tif 000011
【図１０】
2008300146.tif 000012
【図１１】
2008300146.tif 000013
【図１２】
2008300146.tif 000014
【図１３】
2008300146.tif 000015
【図１４】
2008300146.tif 000016
【図１５】
2008300146.tif 000017
【図１６】
2008300146.tif 000018
【図１７】
2008300146.tif 000019
【図１８】
2008300146.tif 000020
【図１９】
2008300146.tif 000021